(57)【要約】      （修正有）【課題】マイナスイオンを放出する鉱物を利用することにより、マイナスイオンを放出して、より効果的に室内における住環境を良くすることが可能な額縁を提供する。【解決手段】複数本の長尺状のフレーム材を略多角形状に枠組みすることにより形成されるフレーム２と、フレーム２内に支持される透明体５と、透明体５の裏面側に重ね合わされる配置で、フレーム２内に支持される裏板４と、を具備し、写真、絵画等の掲示物を透明体と裏板間に挟持して額装可能とした額縁であって、フレーム２は、フレーム本体３とフレーム本体３に備えたマイナスイオンを放出する鉱物４とを備えたことを特徴としており、室内に飾っておくのみで、フレーム２に備えた鉱物から放出されるマイナスイオンにより、室内をマイナスイオン優位の雰囲気にして住環境を向上させることを可能にした。【選択図】図２
0003208920.tif 000002
【実用新案登録請求の範囲】
【請求項１】
複数本の長尺状のフレーム材を略多角形状に枠組みすることにより形成されるフレーム（２）と、
該フレーム（２）内に支持される透明体（５）と、
該透明体（５）の裏面側に重ね合わされる配置で、前記フレーム（２）内に支持される裏板（６）と、を具備し、写真、絵画等の掲示物を前記透明体と裏板間に挟持して額装可能とした額縁であって、
前記フレーム（２）は、
フレーム本体（３）と、該フレーム本体（３）に備えたマイナスイオンを放出する鉱物（４）と、を備えたことを特徴とする額縁。
【請求項２】
前記フレーム本体（３）にマイナスイオンを放出する鉱物の粉末を塗布することで、前記フレーム本体（３）にマイナスイオンを放出する鉱物（４）を備えたことを特徴とする請求項１に記載の額縁。
【請求項３】
前記フレーム本体（３）にマイナスイオンを放出する鉱物をビーズ状にしたものを装着することで前記フレーム本体（３）にマイナスイオンを放出する鉱物（４）を備えたことを特徴とする請求項１に記載の額縁。
【請求項４】
前記マイナスイオンを放出する鉱物（４）が黒曜石であることを特徴とする請求項１乃至請求項３のいずれかに記載の額縁。
【考案の詳細な説明】
【技術分野】
【０００１】
本考案は、四角形状に枠組みされたフレームとこのフレームの内周に支持された透明体及び裏板とを備え、各種の絵画、写真等の係止物を額装するために用いられる額縁に係り、より詳しくは、額縁を構成するフレームに、マイナスイオンを放出する鉱物を備えた額縁に関する。
【背景技術】
【０００２】
従来から、絵画、写真等を壁等に飾る場合には額縁が用いられている。即ち、この額縁は、周知の通り、長尺状のフレーム材を多角形状に枠組みして構成されたフレームと、この多角形状に枠組みされたフレーム内に支持されるとともに、絵画、写真等を挟み込んで支持することが可能な裏板および透明体を備えており、更に、フレームの裏側には、裏板をフレームに係止するための、「とんぼ」といわれる係止部材が回動自在に装着されている。
【０００３】
そして、裏板と透明体の間に絵画、写真等を挟み込むことにより額縁に写真、絵画等を支持するとともに、係止部材によって裏板をフレームに係止して、この状態で額縁を壁等に掛けることにより、絵画、写真等を所望する箇所に飾ることを可能としており、これにより、特に絵画、写真等を飾ることにより室内の装飾等を行うことも可能となる。
【０００４】
ところで、前述のように、従来から提供されている額縁は、絵画、写真等を室内等に飾ることにより室内の装飾等を行い、それにより室内における住環境を良くすることを主な目的としているが、室内における住環境を良くするためには絵画、写真等により室内の装飾を行うことのみでは不十分である。
【０００５】
即ち、絵画、写真等により室内を飾ることにより、視覚に訴える住環境の向上は可能だが、室内における住環境を良くするためには、室内をマイナスイオン優位の空気にすることが重要である。
【０００６】
そのために、従来は、室内の住環境を良くするために、絵画、写真等により室内を飾ることに加えて、除湿材、消臭剤、芳香剤あるいは空気清浄機等を室内に配置するとともに、更には観葉植物等を置くことが行われていたが、室内に除湿材、消臭剤、芳香剤あるいは空気清浄機等を置いた場合にはその交換やメンテナンスが面倒であり、更に観葉植物等を置いた場合には世話が大変である。
【０００７】
また、室内に除湿材、消臭剤、芳香剤あるいは空気清浄機等を置いた場合において、これらの交換やメンテナンスを怠ってしまった場合には室内が汚れてしまい、それにより、室内に浮遊している汚れ等によって額縁が汚れてしまい、特に絵画、写真等を室内装飾の一つとして飾っている場合には、その装飾効果が落ちてしまい、本来は視覚により室内環境を良くするはずの額縁の存在が室内環境を逆に悪くしてしまうおそれも考えられる。更に、除湿材、消臭剤、芳香剤、空気清浄機等の交換やメンテナンスを怠っている場合において、額縁の表面に花粉等の汚れが付着した場合には、それに起因して花粉症やアトピー性皮膚炎の症状が出るおそれが十分に考えられる。
【０００８】
そのために、本考案者は過去において、半永久的に調湿機能を発揮するとともに生活臭や有害物質を吸着、脱臭する働きがあることが知られている珪藻土に着目し、フレームの表面に珪藻土層を形成した額縁を提案している。そして、この額縁によれば、珪藻土の分解消臭効果、抗酸化作用等により、特に除湿材、消臭剤、芳香剤あるいは空気清浄機、更には観葉植物等を室内におくことなく、室内における住環境を良くすることが可能となった。
【先行技術文献】
【特許文献】
【０００９】
【特許文献１】実用新案登録第３１３２５９３号公報
【特許文献２】実用新案登録第３１８５４５７号公報
【考案の概要】
【考案が解決しようとする課題】
【００１０】
ところで、従来から、珪藻土と同等以上のマイナスイオンを放出するとともに遠赤外線を放出するといわれている各種の鉱物が知られており、このマイナスイオンを放出する鉱物をブレスレット、ネックレス、置物等に用いた製品も提供されている。そのため、このマイナスイオンを放出する鉱物を有効活用することにより室内環境を向上する方法が模索されている。
【００１１】
そこで、本考案は、マイナスイオンを放出する鉱物を利用することにより、より効果的に室内における住環境を良くすることが可能な額縁を提供することを課題としている。
【課題を解決するための手段】
【００１２】
本考案の額縁は、
複数本の長尺状のフレーム材を略多角形状に枠組みすることにより形成されるフレームと、
該フレーム内に支持される透明体と、
該透明体の裏面側に重ね合わされる配置で、前記フレーム内に支持される裏板と、を具備し、写真、絵画等の掲示物を前記透明体と裏板間に挟持して額装可能とした額縁であって、
前記フレームは、
フレーム本体と、該フレーム本体に備えたマイナスイオンを放出する鉱物と、を備えたことを特徴としている。
【考案の効果】
【００１３】
本考案の額縁は、フレームにマイナスイオンを放出する鉱物を備えているために、このフレームに備えた鉱物の作用により、マイナスイオンを室内に放出することができる。そのため、本考案の額縁を室内に備えておくのみで、室内にマイナスイオンを放出し、室内の環境を良くすることが可能である。
【図面の簡単な説明】
【００１４】
【図１】本考案の額縁の実施例の正面図である。
【図２】図１におけるＡ−Ａ線断面構造を示した図である。
【図３】本考案の額縁の他の実施例の正面図である。
【考案を実施するための形態】
【００１５】
本考案の額縁では、長尺状のフレーム材を四角形状に枠組みすることによってフレームが形成されており、このフレームの内周側には、透明体が支持されている。
【００１６】
また、透明体の裏面側には、透明体に重ね合わされる配置で、フレームの内周側に裏板が配置されており、この裏板は、フレームに回動自在に取り付けられた係止部材によって、フレームの内周側に支持され、写真、絵画等の掲示物を透明体と裏板間に挟持して額装可能としている。
【００１７】
そしてフレームは、フレーム本体と、このフレーム本体に備えた、マイナスイオンを放出する鉱物を備えて構成されている。
【００１８】
ここで、マイナスイオンを放出する鉱物は、フレーム本体に、マイナスイオンを放出する鉱物の粉末を塗布することでフレームに備えるとよく、これにより、フレームからマイナスイオンを放出することが可能となる。
【００１９】
また、そのほか、マイナスイオンを放出する鉱物をビーズ状にしたものをフレーム本体に装着し、それによりマイナスイオンをフレームに備えてもよく、これによっても、フレームからマイナスイオンを放出することが可能となる。
【００２０】
そして、マイナスイオンを放出する鉱物は、特に限定されるものではないが、例えば黒曜石を用いると良い。
【実施例１】
【００２１】
本考案の額縁の実施例について図面を参照して説明すると、図１は、本実施例の額縁の正面図であり、また図２は図１におけるＡ−Ａ線断面構造を拡大して示した図であり、図において１が本実施例の額縁である。また、図１において７は、額縁１に挿装した絵画等である。
【００２２】
そして、本実施例の額縁１は、図に示すように、全体として略四角形状としている。即ち、本実施例の額縁１では、４本の長尺状の木製のフレーム材を略四角形状に枠組みすることによりフレーム２が形成されている。
【００２３】
そして、前記フレーム２内に、透明体５と裏板６とが支持され、この透明体５と裏板６間に写真、絵画等７を挟み込むとともに、前記フレーム２に回動自在に装着した係止部材９によって裏板６を前記フレーム２に係止することにより、額縁１に写真、絵画等７を装着可能としている。
【００２４】
ここで、フレーム２、透明体５および裏板６の関係について図２を参照して説明すると、図２において、前記フレーム２には、その裏面において、内周側全域に亘って載置部８が形成されている。一方、前記透明体５と裏板６はいずれも、周縁部が前記載置部８上に載置可能な形状寸法とされている。
【００２５】
そして、透明体５をフレーム２の裏側からフレーム２の内周に入れつつ前記載置部８上に透明体５の周縁部を載置するとともに、この透明体５に重ね合わせるような配置で、裏板６の周縁部を前記載置部８上に載置し、更に、裏板６をとんぼ等の係止部材９でフレーム２に係止する。そうすると、これによりフレーム２内に透明体５と裏板６を支持することができる。
【００２６】
従って、透明体５と裏板６間に写真、絵画等７を挟み込むとともに、写真、絵画等を挟み込んだ状態で透明体５と裏板６を前述のようにフレーム２に係止することで、好みの写真、絵画等を額装することが可能である。
【００２７】
次に、図２において４はマイナスイオンを放出する鉱物（以下「マイナスイオン鉱物」と言う。）である。即ち、本実施例における額縁１では、前記フレーム２の表面全域にマイナスイオン鉱物４を備えており、これにより、このマイナスイオン鉱物４により、フレーム２からマイナスイオンを放出可能としている。
【００２８】
ここで、前記マイナスイオン鉱物４を備える方法を説明すると、本実施例においては、４本の長尺状の木製のフレーム材を略四角形状に枠組みすることで形成したフレーム本体３を備えており、このフレーム本体３における正面、左右側面、上面、下面、及び内周側の側面全域に、マイナスイオン鉱物４の粉末を吹き付け、それにより、前記フレーム２にマイナスイオン鉱物を備えている。
【００２９】
但し、フレーム２にマイナスイオン鉱物４を備える方法は、マイナスイオン鉱物４の粉末をフレーム２に塗布する方法には限定されず、いずれの方法を採用してもよい。例えば、図３は、本考案の額縁の他の構成のイメージの正面図であり、図３に示す額縁１では、ビーズ状にしたマイナスイオン鉱物４をフレーム２に備えている。そして、ビーズ状にしたマイナスイオン鉱物４をフレーム２に備える方法は特に限定されないが、接着又は埋め込みにより、フレーム２にビーズ状にしたマイナスイオン鉱物を装着すると良い。
【００３０】
また、前述したように本実施例では、フレーム本体における正面、左右側面、上面、下面、及び内周側の側面全域にマイナスイオン鉱物４を備えているが、必ずしも、フレーム本体における正面、左右側面、上面、下面、及び内周側の側面全域にマイナスイオン鉱物４を備える必要は無く、正面のみに備えてもよい。
【００３１】
なお、本考案に用いるマイナスイオン鉱物４は特に限定されるものではなく、マイナスイオンを放出可能な鉱物であれば、いずれの鉱物を用いてもよい。例えば、マイナスイオン鉱物としては、黒曜石、トルマリン、ラジウム鉱石、北投石、麦飯石、医王石、龍王石、光明石、貴陽石、ゼオライト原石等が知られており、本考案の額縁においては、いずれの鉱物を用いてもよいが、本実施例では黒曜石を用いている。
【００３２】
即ち、周知のように黒曜石は、火山活動によって生成され、溶岩となって急速に冷却された天然ガラスであり、マイナスイオンを放出するといわれている。従って、黒曜石の粉末をフレームに吹き付けた本実施例の額縁では、これを室内に飾っておくことで、室内を自然界のマイナスイオン優位の空気の雰囲気にすることができ、ストレス軽減効果、リラックス効果を得ることができる。
【００３３】
またマイナスイオンは空気清浄効果を得ることもできるために、黒曜石の粉末をフレームに吹き付けた本実施例の額縁では、これを室内に飾っておくことで、室内の清浄を行うことも可能である。
【００３４】
更に、黒曜石は、遠赤外線を放出することもできるために、黒曜石の粉末をフレームに吹き付けた本実施例の額縁を室内に飾っておくことで、室内を温めることができるとともに、室内に居る者にも良い影響を与えることが可能である。
【００３５】
なお、前記黒曜石の粉末をフレーム２に塗布する方法は特に限定されない。従って、前述の粉末を吹き付ける方法以外に、水や接着材で黒曜石の粉末を溶いて粘性を持たせたものを、スクリーン印刷やコーター印刷によってフレーム２の表面に塗布しても良い。
【００３６】
次に、このように構成される本実施例の額縁の作用について説明すると、本実施例の額縁は、前述したように、透明体３と裏板４間に、写真、絵画等の好みのものを額装し、その状態で本実施例の額縁１を室内の壁等に飾る。そうすると、フレーム２に備えた黒曜石から室内にマイナスイオンが放出され、それにより、室内を自然界のマイナスイオン優位の空気の雰囲気にすることができ、ストレス軽減効果、リラックス効果を得ることができる。また、マイナスイオンの空気清浄効果により室内の清浄を行うことも可能である。更に、黒曜石から放出される遠赤外線により、室内を温めることができるとともに、室内に居る者にも良い影響を与えることが可能である。
【００３７】
このように、本実施例の額縁１では、フレーム２の表面に黒曜石の粉末を吹き付けることでマイナスイオン鉱物をフレームに備えているために、この黒曜石４の作用により、室内をマイナスイオン優位の雰囲気にして、ストレス軽減効果、リラックス効果を得ることができ、更に空気清浄効果を得ることができ、更にまた遠赤外線効果を得ることもできるため、額縁１を室内に飾っておくことのみで室内の住環境を向上させることができるという効果がある。
【産業上の利用可能性】
【００３８】
本考案の額縁は、フレームの表面にマイナスイオンを放出可能な鉱物を備えることにより、室内に飾っておくのみで、室内をマイナスイオン優位の雰囲気にして、ストレス軽減効果、リラックス効果を得て、室内における住環境を良くすることができるため、とんぼ等の係止手段によって裏板をフレームに係止する一般的な額縁の他に、フレーム自体を回動して写真、絵画等を収納可能なフロントオープン式のパネル等、室内に飾る額縁やパネルの全般に適用可能である。
【符号の説明】
【００３９】
１    額縁
２    フレーム
３    フレーム本体
４    マイナスイオン鉱物
５    透明体
６    裏板
７    絵画等
８    載置部
９    係止部材
【図１】
0003208920.tif 000003
【図２】
0003208920.tif 000004
【図３】
0003208920.tif 000005